(57)【要約】【課題】レンズ調整機構の調整を行った後に誤って再度調整操作を行ってしまう事態を回避できるプロジェクターを提供する。【解決手段】制御手段２０は、レンズ調整操作を受け付けたとき（ステップＳ２０１）、調整確認フラグ２１１がセットされていた場合（ステップＳ２０２：Ｙ）に、レンズ調整を行うか否かの確認画像を画像投写手段１０に投写させる（ステップＳ２０３）。【選択図】図３
2015141212.tif 000002
【特許請求の範囲】
【請求項１】
光源と、前記光源から射出された光を画像情報に応じて変調する光変調装置と、前記光変調装置で変調された光を投写する投写レンズと、を有する画像投写手段、および前記投写レンズに対して所定のレンズ調整を行うレンズ調整機構、を備えるプロジェクターであって、
前記所定のレンズ調整の操作を受け付ける入力操作手段と、
前記入力操作手段がレンズ調整の操作を受け付けたとき、前回のレンズ調整から所定の時間を経過している場合に、レンズ調整を行うか否かの確認画像を前記画像投写手段により投写させる制御手段と、
を備えることを特徴とするプロジェクター。
【請求項２】
請求項１に記載のプロジェクターであって、
前記制御手段は、前記入力操作手段が前記レンズ調整の操作を受け付けたとき、当該プロジェクターが電源オンしてから前記レンズ調整が行われていなかった場合に、前記確認画像を前記画像投写手段により投写させることを特徴とするプロジェクター。
【請求項３】
請求項１または２に記載のプロジェクターであって、
前記制御手段は、前記確認画像に対し、前記レンズ調整を実行する操作が行われた場合に、前記レンズ調整機構による前記レンズ調整を実行することを特徴とするプロジェクター。
【請求項４】
請求項１から３のいずれか一項に記載のプロジェクターであって、
前記所定のレンズ調整は、ズーム調整、フォーカス調整、レンズシフト調整のうちの少なくとも１つであることを特徴とするプロジェクター。
【請求項５】
光源と、前記光源から射出された光を画像情報に応じて変調する光変調装置と、前記光変調装置で変調された光を投写する投写レンズと、を有する画像投写手段、および前記投写レンズに対して所定のレンズ調整を行うレンズ調整機構、を備えるプロジェクターの制御方法であって、
前記所定のレンズ調整の操作を受け付ける操作受付ステップと、
前記レンズ調整の操作を受け付けたとき、前回のレンズ調整から所定の時間を経過している場合に、レンズ調整を行うか否かの確認画像を前記画像投写手段により投写させる制御ステップと、
を備えることを特徴とするプロジェクターの制御方法。
【発明の詳細な説明】
【技術分野】
【０００１】
本発明は、画像を投写するプロジェクター、およびプロジェクターの制御方法に関する。
【背景技術】
【０００２】
画像を投写するプロジェクターにおいて、焦点調整のための電動フォーカス、画像の投写サイズを調整する電動ズーム、画像の投写位置を上下左右に調整する電動レンズシフトといった各レンズ調整機構を備えたものが知られている。このようなプロジェクターにおいては、レンズ調整を何回か行って最適な調整状態を決定する。しかし、このように最適な調整状態にした後で、自分自身または他のユーザーが誤って調整操作を行い、調整位置がずれてしまうことがあった。
特許文献１には、フォーカス調整動作、ズーム調整動作、レンズシフト調整動作といったレンズ調整機構の調整動作をロック（禁止）することが可能なプロジェクターが開示されている。このようなプロジェクターによれば、調整動作をロックすることで、自分自身または他のユーザーによって誤って調整されてしまうことを防止することができる。
【先行技術文献】
【特許文献】
【０００３】
【特許文献１】特開２０１１−２２７１１９号公報
【発明の概要】
【発明が解決しようとする課題】
【０００４】
しかしながら、調整操作を行うたびにロックをすることは操作上非常にわずらわしく、またロックすることを忘れると、誤ってレンズ調整値が変更されてしまう虞があった。
このため、調整操作のロックをしなくても、レンズ調整機構の調整を行った後に誤って再度調整操作を行ってしまう事態を回避できるプロジェクターが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を画像情報に応じて変調する光変調装置と、前記光変調装置で変調された光を投写する投写レンズと、を有する画像投写手段、および前記投写レンズに対して所定のレンズ調整を行うレンズ調整機構、を備えるプロジェクターであって、前記所定のレンズ調整の操作を受け付ける入力操作手段と、前記入力操作手段がレンズ調整の操作を受け付けたとき、前回のレンズ調整から所定の時間を経過している場合に、レンズ調整を行うか否かの確認画像を前記画像投写手段により投写させる制御手段と、を備えることを特徴とする。
【０００７】
本適用例によれば、プロジェクターのレンズ調整を行った後、所定の時間が経過しレンズ調整をしようとした場合に、確認画像が投写される。つまり、短時間で何回もレンズ調整を行って最適な調整位置を求めるような場合には調整操作のたびに確認は求めない。そして、最後にレンズ調整を行った後、所定時間が経過した場合はレンズ調整が確定したとみなして、次回レンズ調整を行おうとした場合に確認画像を投写するので、確定したレンズ調整位置を誤って変更してしまうことを防止できる。
【０００８】
［適用例２］上記適用例に記載のプロジェクターにおいて、前記制御手段は、前記入力操作手段が前記レンズ調整の操作を受け付けたとき、当該プロジェクターが電源オンしてから前記レンズ調整が行われていなかった場合に、前記確認画像を前記画像投写手段により投写させることが好ましい。
【０００９】
本適用例によれば、プロジェクターが電源オンしてから最初にレンズ調整の操作を行おうとしたときに確認画像を投写する。つまり、前回使用時のレンズ調整位置を最初に変更しようとした場合に確認を求めるので、誤ってレンズ調整位置を変更してしまうことを防止できる。
【００１０】
［適用例３］上記適用例に記載のプロジェクターにおいて、前記制御手段は、前記確認画像に対し、前記レンズ調整を実行する操作が行われた場合に、前記レンズ調整機構による前記レンズ調整を実行することが好ましい。
【００１１】
本適用例によれば、レンズ調整を行うか否かの確認画像に対し、レンズ調整を実行する操作を行った場合に、レンズ調整を実行する。つまり、レンズ調整を行うか否かをユーザーに確認させた後でないとレンズ調整が実行されないので、誤操作によりレンズ調整位置が変更されてしまうことを防止できる。
【００１２】
［適用例４］上記適用例に記載のプロジェクターにおいて、前記所定のレンズ調整は、ズーム調整、フォーカス調整、レンズシフト調整のうちの少なくとも１つであることが好ましい。
【００１３】
本適用例によれば、ズーム調整、フォーカス調整、レンズシフト調整などのレンズ調整を行う場合に、いずれかのレンズ調整位置が誤操作により変更されてしまうのを防止することができる。
【００１４】
［適用例５］本適用例に係るプロジェクターの制御方法は、光源と、前記光源から射出された光を画像情報に応じて変調する光変調装置と、前記光変調装置で変調された光を投写する投写レンズと、を有する画像投写手段、および前記投写レンズに対して所定のレンズ調整を行うレンズ調整機構、を備えるプロジェクターの制御方法であって、前記所定のレンズ調整の操作を受け付ける操作受付ステップと、前記レンズ調整の操作を受け付けたとき、前回のレンズ調整から所定の時間を経過している場合に、レンズ調整を行うか否かの確認画像を前記画像投写手段により投写させる制御ステップと、を備えることを特徴とする。
【００１５】
本適用例によれば、プロジェクターのレンズ調整を行った後、所定の時間が経過し、レンズ調整をしようとした場合に確認を求める。つまり、短時間で何回もレンズ調整を行って最適な調整位置を求めるような場合には調整操作のたびに確認は求めない。そして、最後にレンズ調整を行った後、所定時間が経過した場合はレンズ調整が確定したとみなして、次回レンズ調整を行おうとした場合に確認画像を投写するので、確定した調整位置を誤って変更してしまうことを防止できる。
【図面の簡単な説明】
【００１６】
【図１】本実施形態に係るプロジェクターの概略構成を示すブロック図。
【図２】本実施形態のリモコンの平面図。
【図３】本実施形態のプロジェクターの動作を説明するフローチャート。
【図４】投写面に投写された画像を示す模式図。
【発明を実施するための形態】
【００１７】
以下、図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１８】
（実施形態）
図１は本実施形態のプロジェクター１の概略構成を示すブロック図である。
図１に示すように、プロジェクター１は、画像入力端子６、画像投写手段１０、レンズ調整機構１３０、ＯＳＤ処理手段１６、画像信号処理手段１７、画像信号入力手段１８、制御手段２０、記憶手段２１、光源制御手段２２、入力操作手段２３、操作信号受信手段２４、リモートコントローラー（リモコン）２５、フォーカス制御手段４１、ズーム制御手段４２、レンズシフト制御手段４３、電源端子３０、電源部３１等で構成されており、これらは、プロジェクター１の図示しない筐体の内部、または外面に収容されている。
【００１９】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーン等の投写面ＳＣに画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂの各透明基板は、矩形の領域内において、複数の微小領域毎に、駆動電圧を印加可能な透明電極（画素電極）が、マトリックス状に形成されている。
【００２１】
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によって投写面ＳＣに拡大投写され、画像が表示される。
【００２２】
本実施形態では、光源１１として光源ランプ１１ａを用いて投写するプロジェクター１を例示したが、本発明は光源としてＬＥＤ（Light emitting diode）光源やレーザー光源等を用いて投写するプロジェクターにも適用することができる。
【００２３】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）等、他の表示方式の光変調装置を採用しても良い。
【００２４】
投写レンズ１３は、複数のレンズを有して構成され、この複数のレンズのなかには、焦点位置を調整（フォーカス調整）するためのフォーカスレンズ１３ａや、画角の調整、つまり投写される画像の大きさを調整（ズーム調整）するためのズームレンズ１３ｂ等がある。
【００２５】
レンズ調整機構１３０は、フォーカス調整機構１３１、ズーム調整機構１３２、およびレンズシフト調整機構１３３を備える。
フォーカス調整機構１３１は、モーターおよびギヤ等（いずれも図示せず）を有して構成され、後述するフォーカス制御手段４１による制御に基づいて、フォーカスレンズ１３ａを駆動（移動）し、フォーカス調整を行う。また、フォーカス調整機構１３１は、フォーカスレンズ１３ａの位置をフォーカス量として検出する。そして、検出結果であるフォーカス量をフォーカス制御手段４１に出力する。本実施形態では、フォーカス量を検出する方法としては、フォーカスレンズ１３ａの変化量をエンコーダー等（図示せず）によって検出する。なお、フォーカス量を検出する他の方法としては、フォーカス調整機構１３１のモーターをステッピングモーターとし、そのステッピングモーターのステップ数に基づいて検出するようにしてもよい。
【００２６】
ズーム調整機構１３２は、モーターおよびギヤ等（いずれも図示せず）を有して構成され、後述するズーム制御手段４２による制御に基づいて、ズームレンズ１３ｂを駆動（移動）し、ズーム調整を行う。また、ズーム調整機構１３２は、ズームレンズ１３ｂのズーム状態をズーム量として検出する。そして、検出結果であるズーム量をズーム制御手段４２に出力する。本実施形態では、ズーム量を検出する方法としては、ズームレンズ１３ｂの変化量をエンコーダー等（図示せず）によって検出する。なお、ズーム量を検出する他の方法としては、ズーム調整機構１３２のモーターをステッピングモーターとし、そのステッピングモーターのステップ数に基づいて検出するようにしてもよい。
【００２７】
レンズシフト調整機構１３３は、投写レンズ１３の光軸に直交する面内で投写レンズ１３を移動させる。レンズシフト調整機構１３３は、投写レンズ１３を移動させるモーターおよびギヤ等（いずれも図示せず）を有して構成され、後述するレンズシフト制御手段４３による制御に基づいて、投写レンズ１３を移動させる。これにより投写面ＳＣに投写される画像は、上下や左右に移動する。また、レンズシフト調整機構１３３は、投写レンズ１３のレンズシフト状態をレンズシフト量として検出する。そして、検出結果であるレンズシフト量をレンズシフト制御手段４３に出力する。本実施形態では、レンズシフト量を検出する方法としては、投写レンズ１３の位置変化量をエンコーダー等（図示せず）によって検出する。なお、レンズシフト量を検出する他の方法としては、レンズシフト調整機構１３３のモーターをステッピングモーターとし、そのステッピングモーターのステップ数に基づいて検出するようにしてもよい。
このように、レンズ調整機構１３０は、投写レンズに対して所定のレンズ調整、すなわち、フォーカス調整、ズーム調整、およびレンズシフト調整を行うことができるように構成されている。
【００２８】
画像信号入力手段１８は、複数の画像入力端子６より、ビデオ再生装置やパーソナルコンピューター等、外部の画像出力装置から、図示しないケーブル、又は通信機器等を介して画像情報が入力される。入力された画像情報は、制御手段２０の指示に基づき、画像信号処理手段１７に出力される。なお、画像信号入力手段１８は、無線通信や光通信等の受信部を備え、外部機器から無線によって画像信号を入力する構成にしてもよい。
【００２９】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３０】
液晶駆動手段１４が、入力された画像データの画素値に従って液晶ライトバルブ１２Ｒ，１２Ｇ，１２Ｂを駆動すると、画像データに応じた投写画像が投写面ＳＣに投写される。
【００３１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３２】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３３】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、図示しない時間を計時するタイマーを含む。
また、制御手段２０は、レンズ調整の操作を受け付けたときに、レンズ調整を行うか否かの確認画像を画像投写手段１０に投写させることが可能である。
【００３４】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。記憶手段２１は、調整確認フラグ２１１と、レンズ調整位置情報２１２を記憶する。
調整確認フラグ２１１は、レンズ調整の操作を受け付けたときに、確認画像を表示させるか否かを示し、セットされていた場合に、プロジェクター１は、確認画像を投写する。
レンズ調整位置情報２１２としては、フォーカス調整、ズーム調整、レンズシフト調整の各調整項目の調整値がある。制御手段２０は、プロジェクター１が電源オンされたときに記憶手段２１に保存されたレンズ調整位置情報２１２（調整値）を読み出し、その調整値に対応してレンズ調整機構１３０を制御することが可能である。
【００３５】
光源制御手段２２は、制御手段２０の指示に基づいて、光源１１に対する電力の供給と停止とを制御し、光源１１の点灯および消灯を切り替える。
【００３６】
入力操作手段２３はプロジェクター１の図示しない筐体に備えられ、プロジェクター１に対して各種指示を行うための複数の操作キーを備えている。入力操作手段２３が備える操作キーとしては、電源のオン・オフを交互に切り替えるための電源キーや、複数の画像入力端子６を切り替えるための入力切替キー、フォーカス調整をするためのフォーカスキー、ズーム調整をするためのズームキー、レンズシフト調整をするためのレンズシフトキー、設定メニュー等を重畳表示させるためのメニューキー、設定メニュー等で項目の選択等に用いられる方向キー（上下左右に対応する４つの操作キー）、選択された項目を確定させる決定キー、動作の取り消し等を行うための取消キー、等がある。
【００３７】
ユーザーが入力操作手段２３の各種操作キーを操作すると、入力操作手段２３は、ユーザーの操作内容に応じた操作信号を制御手段２０に出力する。
【００３８】
リモコン２５は入力操作手段２３と同等の操作キーを備え、プロジェクター１に対して各種指示を行う。
図２はリモコン２５の平面図である。図２に示すように、リモコン２５は、電源のオン・オフを交互に切り替えるための電源キー２５ａや、複数の画像入力端子６を切り替えるための入力切替キー２５ｂ、フォーカス調整をするためのフォーカスキー２５ｃ（２つの方向キー）、ズーム調整をするためのズームキー２５ｄ（拡大・縮小の２つの操作キー）、レンズシフト調整をするためのレンズシフトキー２５ｅ（上下左右に対応する４つの操作キー）、設定メニュー等を重畳表示させるためのメニューキー２５ｆ、設定メニュー等で項目の選択等に用いられる方向キー（上下左右に対応する４つの操作キー）２５ｇ、選択された項目を確定させる決定キー２５ｈ、動作の取り消し等を行うための取消キー２５ｉ等を備える。
ユーザーがリモコン２５の各種操作キーを操作すると、リモコン２５はユーザーの操作内容に応じた赤外線等の操作信号を発し、操作信号受信手段２４がこれを受信して制御手段２０に伝達する。
なお、図２においてはフォーカスキー２５ｃ、ズームキー２５ｄ、レンズシフトキー２５ｅは、それぞれ独立した複数の操作キーから構成されているが、それぞれを調整を開始する一つの操作キーとし、調整機能を選択後、方向キー２５ｇにより実際の調整を行うようにしてもよい。
【００３９】
図１に戻り、操作信号受信手段２４は、赤外線受信部等を有して構成され、リモコン２５から発せられた操作信号を受信し、制御情報として制御手段２０に伝達する。リモコン２５および操作信号受信手段２４は入力操作手段にも相当する。
【００４０】
フォーカス制御手段４１は、制御手段２０の指示に基づいて、フォーカス調整機構１３１を制御してフォーカスレンズ１３ａを移動させ、フォーカス調整を行う。また、フォーカス制御手段４１は、フォーカス調整機構１３１からのフォーカス量を制御手段２０に出力する。
【００４１】
ズーム制御手段４２は、制御手段２０の指示に基づいて、ズーム調整機構１３２を制御してズームレンズ１３ｂを移動させ、ズーム調整を行う。また、ズーム制御手段４２は、ズーム調整機構１３２からのズーム量を制御手段２０に出力する。
【００４２】
レンズシフト制御手段４３は、制御手段２０の指示に基づいて、レンズシフト調整機構１３３を制御して投写レンズ１３を移動させ、レンズシフト調整を行う。また、レンズシフト制御手段４３は、レンズシフト調整機構１３３からのレンズシフト量を制御手段２０に出力する。
【００４３】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に変換した電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４４】
次に、本実施形態のプロジェクター１の動作を図３のフローチャートを用いて説明する。
図３（ａ）はプロジェクター１が電源オンするときの動作、図３（ｂ）はプロジェクター１が動作中にレンズ調整の操作を受け付けたときの動作、図３（ｃ）はレンズ調整から所定時間Ｔ１経過したときの動作を示すフローチャートである。
【００４５】
〔電源オン時の動作〕
図３（ａ）に示すように、プロジェクター１が入力操作手段２３やリモコン２５の電源キー２５ａ（図２参照）などにより、電源オンすると（ステップＳ１０１）、制御手段２０は、光源制御手段２２により光源１１を点灯させ（ステップＳ１０２）、ステップＳ１０３に遷移する。
【００４６】
ステップＳ１０３において、制御手段２０は、記憶手段２１のレンズ調整位置情報２１２に基づき、フォーカス制御手段４１、ズーム制御手段４２、レンズシフト制御手段４３を制御して各レンズ調整を実行し、ステップＳ１０４に遷移する。なお、電源オン直後の調整値が記憶手段２１に記憶された調整値と同じ場合には、レンズ調整を行わない。
【００４７】
ステップＳ１０４において、制御手段２０は、調整確認フラグ２１１をセットし、ステップＳ１０５に遷移する。
【００４８】
ステップＳ１０５において、制御手段２０は、画像信号処理手段１７に入力される画像の投写を開始し、本動作フローを終了する。
【００４９】
〔動作中にレンズ調整の操作を受け付けたときの動作〕
図３（ｂ）に示すように、プロジェクター１が動作中に、入力操作手段２３またはリモコン２５によるレンズ調整の操作を受け付けると（ステップＳ２０１）、ステップＳ２０２に遷移する。ステップＳ２０１が操作受付ステップに相当する。
【００５０】
ステップＳ２０２において制御手段２０は、調整確認フラグ２１１がセットされているか否かを調べる。調整確認フラグ２１１がセットされている場合（ステップＳ２０２：Ｙ）には、ステップＳ２０３に遷移する。調整確認フラグ２１１がセットされていない、即ちクリアされている場合（ステップＳ２０３：Ｎ）には、ステップＳ２０５に遷移する。
【００５１】
ステップＳ２０３において制御手段２０は、ステップＳ２０１において受け付けた調整操作に対応するレンズ調整を実行するか否かの確認画像を画像投写手段１０により投写させ、ステップＳ２０４に遷移する。
図４は、投写面ＳＣに投写された画像を示す模式図である。具体的に、図４（ａ）〜（ｃ）は、確認画像を例示する図、図４（ｄ）〜（ｆ）は、レンズ調整を実行することを選択した場合を例示する図である。
フォーカス調整の操作を受け付けた場合には、図４（ａ）に示すように、フォーカス調整を実行するか否か、ズーム調整の操作を受け付けた場合には、図４（ｂ）に示すように、ズーム調整を実行するか否か、レンズシフト調整の操作を受け付けた場合には、図４（ｃ）に示すように、レンズシフト調整を実行するか否か、を示す「調整実行」「キャンセル」の確認画像がそれぞれ投写される。
【００５２】
そして、入力操作手段２３またはリモコン２５による操作によって、「調整実行」「キャンセル」のいずれかが選択される。
そして、「調整実行」が選択された場合には、図４（ｄ）〜（ｆ）に示すように、レンズ調整を操作するための操作キーに模した画像が投写され、各レンズ調整の実行が可能となる。
一方、各確認画像において、「キャンセル」が選択された場合には、レンズ調整をキャンセルし、元の動作状態に戻る。なお、ステップＳ２０２からステップＳ２０３が制御ステップに相当する。
【００５３】
図３（ｂ）に戻り、ステップＳ２０４において制御手段２０は、ステップＳ２０３において投写した確認画像に対し、調整を実行する操作を受け付けたか否かを調べる。レンズ調整を実行する操作を受け付けた場合（ステップＳ２０４：Ｙ）、すなわち、「調整実行」が選択された場合には、ステップＳ２０５に遷移する。一方、レンズ調整をキャンセルする操作を受け付けた場合（ステップＳ２０４：Ｎ）、すなわち、「キャンセル」が選択された場合には、ステップＳ２０８に遷移する。
【００５４】
ステップＳ２０５において制御手段２０は、ステップＳ２０１において受け付けた操作に基づくレンズ調整を実行し、ステップＳ２０６に遷移する。このときの各レンズ調整（フォーカス調整、ズーム調整、レンズシフト調整）における画像は、前述したように、図４（ｄ）〜（ｆ）に示すものとなる。調整が終了したら、ステップＳ２０６に遷移する。
【００５５】
ステップＳ２０６において制御手段２０は、調整確認フラグ２１１をクリアし、ステップＳ２０７に遷移する。
【００５６】
ステップＳ２０７において制御手段２０は、タイマーによる計時を開始し、ステップＳ２０８に遷移する。
【００５７】
ステップＳ２０８において本動作フローを終了し、元の処理に戻る。
【００５８】
〔タイマーが時間Ｔ１を経過したときの動作〕
図３（ｃ）に示すように、プロジェクター１が動作中にタイマーが所定の時間Ｔ１（例えば５分）を経過した場合（ステップＳ３０１）には、制御手段２０は、調整確認フラグ２１１をセットし（ステップＳ３０２）、タイマーを停止させる（ステップＳ３０３）。次に本動作フローを終了し、元の処理に戻る（ステップＳ３０４）。
【００５９】
上述した実施形態によれば、以下の効果を得られる。
本実施形態のプロジェクター１によれば、フォーカス、ズーム、レンズシフトなどの各レンズ調整を行った後、所定の時間Ｔ１が経過した場合、次回レンズ調整をしようとした場合に確認画像を表示して確認を求める。つまり、短時間で何回もレンズ調整を行って最適な調整位置を求めるような場合には調整操作のたびに確認は求めない。そして、最後にレンズ調整を行った後、所定時間Ｔ１が経過した場合はレンズ調整が確定したとみなして、次回レンズ調整を行おうとした場合に確認画像を投写するので、確定したレンズ調整位置を誤って変更してしまうことを防止できる。
【００６０】
またプロジェクター１が電源オンしてから最初にレンズ調整の操作を行おうとしたときに確認画像を投写する。つまり、前回使用時のレンズ調整位置を最初に変更しようとした場合に確認を求めるので、誤ってレンズ調整位置を変更してしまうことを防止できる。
【００６１】
また、レンズ調整を行うか否かの確認画像に対し、レンズ調整を実行する操作を行った場合に、レンズ調整が実行する。つまり、レンズ調整を行うか否かをユーザーに確認させた後でないとレンズ調整が実行されないので、誤操作によりレンズ調整位置が変更されてしまうことを防止できる。
【００６２】
また、前記実施形態は、以下のように変更してもよい。
（変形例１）
前記実施形態において、ＬＥＤやブザー等で構成される報知手段を備え、レンズ調整を行うか否かの確認画像を投写するときに報知するようにしてもよい。これにより、確認画像をユーザーが注視していなかった場合でもユーザーに確実に報知させることができる。
【００６３】
（変形例２）
前記実施形態において、レンズ調整を行うか否かの確認画像において、現在の調整値を記憶手段に保存し、所定の操作で保存した値に再設定するようにしてもよい。これにより、一時的に調整を変更して試した後、元の調整状態に戻すことができる。
【００６４】
（変形例３）
前記実施形態のレンズ調整機構１３０は、フォーカス調整、ズーム調整、およびレンズシフト調整の３つの調整を行うことができるように構成されているが、この３つの調整のうち少なくとも１つの調整ができるようにレンズ調整機構を構成してもよい。そして、フォーカス制御手段４１、ズーム制御手段４２、およびレンズシフト制御手段４３においても、そのレンズ調整機構に対応して構成すればよい。
【符号の説明】
【００６５】
１…プロジェクター、６…画像入力端子、１０…画像投写手段、１１…光源、１２Ｒ，１２Ｇ，１２Ｂ…液晶ライトバルブ、１３…投写レンズ、１３ａ…フォーカスレンズ、１３ｂ…ズームレンズ、１３１…フォーカス調整機構、１３２…ズーム調整機構、１３３…レンズシフト調整機構、１４…液晶駆動手段、１６…ＯＳＤ処理手段、１７…画像信号処理手段、１８…画像信号入力手段、２０…制御手段、２１…記憶手段、１３０…レンズ調整機構、２１１…調整確認フラグ、２１２…レンズ調整位置情報、２２…光源制御手段、２３…入力操作手段、２４…操作信号受信手段、２５…リモートコントローラー（リモコン）、３０…電源端子、３１…電源部、４１…フォーカス制御手段、４２…ズーム制御手段、４３…レンズシフト制御手段。
【図１】
2015141212.tif 000003
【図２】
2015141212.tif 000004
【図３】
2015141212.tif 000005
【図４】
2015141212.tif 000006